(57)【特許請求の範囲】
【請求項１】
引出し内に取り付けられて使用される収納部材であって、
起立壁部と底壁部とを有し、断面視略凵字状に形成された収納部本体と、前記収納部本体の端部に取付けられるサイドキャップと、を備え、
前記サイドキャップは、前記サイドキャップと前記収納部本体とを固定するためのネジを挿入するためのネジ材取り付け孔を有し、
前記収納部本体は、前記ネジが挿入されるための雌ネジ部が、開放部を備えて断面視で円弧状に形成されており、前記開放部は、前記起立壁部の内側面に形成されており、
前記サイドキャップは、前記収納部本体の前記起立壁部の内側面に内接する内壁部を有し、前記内壁部には、前記開放部を覆うためのネジカバー部が形成されていることを特徴とする収納部材。
【請求項２】
前記雌ネジ部は、開放部が円周の半分以下となるように形成されていることを特徴とする請求項１に記載の収納部材。
【請求項３】
内部に収納部材が取り付けられた引出しキャビネットであって、前記収納部材としで請求項１または２に記載の収納部材が用いられていることを特徴とする引出しキャビネット。
【発明の詳細な説明】
【技術分野】
【０００１】
本発明は、キッチンなどに使用される収納部材及び該収納部材を取り付けた引出しキャビネットに関するものである。
【背景技術】
【０００２】
従来、キッチンなどに用いられる引出し内に収納部材を取り付ける構成は知られている。例えば、引出し内に取り付けられるトレイ本体が、縦断面凹溝状の押し出し材で形成されている又は前後の対向板と底板とを備えてなり、このトレイ本体に両側板をネジで連結する構成が知られている（特許文献１参照）。
【０００３】
また、引出しのガードパイプに掛けて取り付けることができる縦形ポケットが、アルミケースの両側端にプラスチック製の側板を嵌め込むようにして構成する点が知られている（特許文献２参照）。
【先行技術文献】
【特許文献】
【０００４】
【特許文献１】特開２０１３−００９７０３号公報
【特許文献２】特開２００４−２９０４２０号公報
【発明の概要】
【発明が解決しようとする課題】
【０００５】
上記特許文献１記載の構成では、トレイ本体に両側板をネジ止めしており、トレイ本体を比較的内厚に形成する必要がある。そのため、トレイ本体の製造コストがかかるという問題がある。また、特許文献２記載の構成では、アルミケースを側板に嵌め込むことで構成しているが、トレイ自体の強度が不足する虞がある。
【０００６】
本発明は、上記従来の問題を解決することを目的とし、製造コストが低減でき、 強度面で問題のない収納部材およびこれを備えた引出しキャビネットを実現することを課題とする。
【課題を解決するための手段】
【０００７】
本発明は上記課題を解決するために、引出し内に取り付けられて使用される収納部材であって、起立壁部と底壁部とを有し、断面視略凵字状に形成された収納部本体と、前記収納部本体の端部に取付けられるサイドキャップと、を備え、前記サイドキャップは、前記サイドキャップと前記収納部本体とを固定するためのネジを挿入するためのネジ材取り付け孔を有し、前記収納部本体は、前記ネジが挿入されるための雌ネジ部が、開放部を備えて断面視で円弧状に形成されており、前記開放部は、前記起立壁部の内側面に形成されており、前記サイドキャップは、前記収納部本体の前記起立壁部の内側面に内接する内壁部を有し、前記内壁部には、前記開放部を覆うためのネジカバー部が形成されていることを特徴とする収納部材を提供する。
【０００８】
前記雌ネジ部は、開放部が円周の半分以下となるように形成されていることが好ましい。
【００１０】
本発明は上記課題を解決するために、内部に上記特徴を有する収納部材が取り付けられた引出しキャビネットを提供する。
【発明の効果】
【００１１】
本発明によると、サイドキャップをネジで収納部本体の断面湾曲状の雌ねじ部に強固に取り付けることができるので、強度を維持しながら、製造コストを低減でき、強度面で問題のない収納部材およびこの収納部材を取り付けた引出しキャビネットを提供することができる。
【図面の簡単な説明】
【００１２】
【図１】本発明に係る収納部材及び該収納部材を取り付けた引出しキャビネットの実施例を説明する図であり、（ａ）は収納部材の斜視図であり、（ｂ）は引出しキャビネットの斜視図である。
【図２】上記実施例の収納部材を説明する図であり、（ａ）は収納部材の収納部本体を説明する側面図であり、（ｂ）は（ａ）の雌ネジ部の拡大図であり、（ｃ）は雌ネジ部にネジをねじ込んだ状態を示す図である。
【図３】上記実施例のサイドキャップを説明する図であり、（ａ）は斜視図であり、（ｂ）は（ａ）の矢印Ｂ方向から見た図である。
【図４】上記実施例のサイドキャップを説明する図であり、（ａ）はサイドキャップを図３（ａ）、（ｂ）のＡ方向から見た図であり、（ｂ）は図３（ａ）のＣ方向、図３（ｂ）のＢ方向から見た図であり、（ｃ）は図３（ｂ）のＣ−Ｃ断面図である。
【図５】上記実施例において、サイドキャップを収納部本体に取り付けてなる収納部材を、引出しの扉の裏面に取り付けた状態を示す斜視図である。
【発明を実施するための形態】
【００１３】
本発明に係る収納部材及び該収納部材を取り付けた引出しキャビネットを実施するための形態を実施例に基づき図面を参照して、以下説明する。
【実施例】
【００１４】
本発明に係る収納部材および収納部材を用いた引出しキャビネットの実施例を図１〜５を参照して説明する。本発明に係る収納部材１は図１（ａ）に示すが、キッチンなどの引出しキャビネット２の引出し３の扉４の裏面に、図１（ｂ）に示すように取り付けて使用される。
【００１５】
本明細書では、引出しキャビネット２の引出し３を、図１（ｂ）の矢印Ｆに示すように、その前方から正面視した際に、手前方向を前方とし奥行き方向を後方とし、左右を引出しキャビネット２の左右方向とする。
【００１６】
収納部材１は、図１（ａ）に示すように、収納空間８を形成する収納部本体９と、収納部本体９の左右の端部にそれぞれ取り付けられるサイドキャップ１０と、を備えている。
【００１７】
収納部本体９は、図２（ａ）に示すように、前後の起立壁部１１および底壁部１２を有し、押出し材により断面視略凵字状に形成されている。収納空間８は、図１（ａ）、（ｂ）に示すように、前後の起立壁部１１の間などに仕切り部材１５を取り付けることによって、適宜、複数の小空間に分割して使用することができる。
【００１８】
図２（ａ）、（ｂ）に示すように、収納部本体９の前後の起立壁部１１には、それぞれネジがねじ込まれるための雌ネジ部１６が設けられている。雌ネジ部１６は、開放部１７を備え、断面視で円弧状に形成されている。開放部１７は、前後の起立壁部１１のそれぞれ互いに対向する内側面に形成されている。
【００１９】
開放部１７は、図２（ｂ）に示すように、円周の半分以下となるように形成されている。要するに、開放部１７の中心角θは１８０度より小さい。従って、雌ネジ部１６は、円周の半分より大きい円弧として形成されている。         
【００２０】
なお、雌ネジ部１６は、円筒状に形成することも考えられるが、円筒状にすると収納部本体９の成型のための金型が複雑、高価となり、収納部本体９の押出し成形も面倒となる。また、この場合は起立壁部１１の肉厚が大きくなり製造コストが上昇する。従って、雌ネジ部１６は、本実施例のような断面円弧状とし、前後の起立壁部１１のそれぞれ互いに対向する内側面に開放部１７を有する構成とした。
【００２１】
サイドキャップ１０は、その全体構成を図３（ａ）に示すが、その側面は（収納部材１を引出し３に取り付けた状態で側方から見た面）、図３（ｂ）に示すように全体的に矩形であり、その前後上下にネジ材取り付け孔１９が貫通孔として形成されている。
【００２２】
サイドキャップ１０を収納部本体９に固定するためのネジ２０は、ネジ材取り付け孔１９に挿入して、図２（ｃ）に示すように、収納部本体９の雌ネジ部１６にねじ込む。そのために、ネジ材取り付け孔１９の中心と雌ネジ部１６の円弧の中心が対応するように形成されている。
【００２３】
図３（ａ）に示すように、サイドキャップ１０の前後の上端部は、それぞれ互いに対向するように内側に折り返し部２１が形成され、サイドキャップ１０を収納部本体９に組み付けると、折り返し部２１内に、起立壁部１１の端部が数ミリ程度だけ挿入されるように形成されている。
【００２４】
サイドキャップ１０の前後には、図３（ａ）、図４（ａ）〜（ｃ）、図５に示すように、収納部本体９側に延びた内壁部２２が形成されている。内壁部２２は、サイドキャップ１０を収納部本体９に組み付けると、起立壁部１１の内側面に内接する。内壁部２２の上端および下端には、それぞれ起立壁部１１に形成された雌ネジ部１６の開放部１７を覆うためのネジカバー部２３が形成されている。
【００２５】
ネジカバー部２３は、その断面がネジ２０に対応して湾曲状に形成され、サイドキャップ１０を収納部本体９に組み付けてネジ２０で固定した際に、ネジ２０をカバーして露出しないようにする。そのために、ネジカバー部２３は、内壁部２２において雌ネジ部１６に対応する位置に形成されている。
【００２６】
（作用）
上記実施例の収納部材１および収納部材１を用いた引出しキャビネット２の作用について、収納部材１の組み立てなどを含めて、以下説明する。
【００２７】
収納部材１の組み立てに際し、収納部本体９にサイドキャップ１０を取り付けるために、サイドキャップ１０を収納部本体９の前後の起立壁部１１に嵌合する。この嵌合に際しては、サイドキャップ１０の前後の折り返し部２１に、前後の起立壁部１１の端部を数ｍｍ程度挿入する。
【００２８】
また、サイドキャップ１０の前後の内壁部２２を、それぞれ前後の起立壁部１１の内側面に当接させる。そして、ネジ２０を、ネジ材取り付け孔１９に挿入して起立壁部１１の雌ネジ部１６にねじ込む。これにより、図５に示すように、サイドキャップ１０は、収納部本体９の起立壁部１１の端部に固定される。
【００２９】
サイドキャップ１０が前後の起立壁部１１の端部に固定されると、サイドキャップ１０のネジカバー部２３は、雌ネジ部１６の開放部１７および雌ネジ部１６にねじ込まれたネジ２０をカバーする（図５参照）。従って、ネジ２０が収納部材１の内側の収納空間８に露出するようなことがないので、見栄えが良くなる。
【００３０】
雌ネジ部１６を構成する円弧状の部分は、図２（ｂ）、（ｃ）に示すように、半円弧ではなく円周の半分より大きい円弧とし、開放部１７は円周の半分以下となるようにしたので、雌ネジ部１６の成形が容易となり、製造コストが低減でき、しかも、雌ネジ部１６が半円弧に形成した場合に比べて、雌ネジ部１６がねじ込まれて食い込まれる円弧状の部分の面積が増加し、サイドキャップ１０を起立壁部１１へより強固に固定することができ、その結果、収納部材１の強度が向上する。 
【００３１】
サイドキャップ１０が取り付けられた収納部材１は、図１（ｂ）、図５に示すように、引出し３の扉４の裏面に、ネジなど（図示せず）で固定されて引出し３内に設けられ、引出し３内の他の収納部から区分けされた収納空間８を提供することができる。
【００３２】
以上、本発明に係るサイドキャップ、該サイドキャップを取り付けた収納部材及び該収納部材を取り付けた引出しキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３３】
本発明に係る収納部材及び該収納部材を取り付けた引出しキャビネットは上記のような構成であるから、キッチンの引出しキャビネットだけでなく、家具用、事務用、生産現場用などの各種の引出しキャビネットにも適用可能である。
【符号の説明】
【００３４】
１  収納部材
２  引出しキャビネット
３  引出し
４  扉
８  収納空間
９  収納部本体
１０  サイドキャップ
１１  起立壁部
１２  底壁部
１５  仕切り部材
１６  収納部本体の雌ネジ部
１７  雌ネジ部の開放部
１９  ネジ材取り付け孔
２０  ネジ
２１  サイドキャップの上端の折り返し部
２２  サイドキャップの内壁部
２３  内壁部のネジカバー部
【図１】
0006490960.tif 000002
【図２】
0006490960.tif 000003
【図３】
0006490960.tif 000004
【図４】
0006490960.tif 000005
【図５】
0006490960.tif 000006